(57)【要約】【課題】操作性をより向上させた上で、名刺を確実に取出し口より外側へ押し出すことができ、さらに名刺の収納ケースからの取り出し動作を半自動（セミオート）で行うことができるように成した名刺入れを提供する。【解決手段】複数枚の名刺を収容させる上部開放のケース本体と、このケース本体に被せられる蓋体と、この蓋体と前記ケース本体との間に設けられた名刺の取出し口と、前記蓋体を前記ケース本体へ開閉可能に連結するヒンジ手段と、前記ケース本体内に収容させた名刺を前記蓋体側へ押し上げる押し上げ手段と、前記ケース本体内に収容させた名刺を１枚ずつ前記取出し口より外側へ押し出す取り出し手段と、を有し、前記ヒンジ手段はカム機構を有し、このカム機構により前記蓋体を前記ケース本体に対して閉成状態でロックするように構成したり、前記取出し手段の操作部材が、自動的に元位置へ戻るように構成することで解決した。【選択図】  図３
2012035517.tif 000002
【特許請求の範囲】
【請求項１】
複数枚の名刺を収容させる上部開放のケース本体と、このケース本体に被せられる蓋体と、この蓋体と前記ケース本体との間に設けられた名刺の取出し口と、前記蓋体を前記ケース本体へ開閉可能に連結するヒンジ手段と、前記ケース本体内に収容させた名刺を前記蓋体側へ押し上げる押し上げ手段と、前記ケース本体内に収容させた名刺を１枚ずつ前記取出し口より外側へ押し出す取り出し手段と、を有し、前記ヒンジ手段はカム機構を有し、このカム機構により前記蓋体を前記ケース本体に対して閉成状態で保持するように構成したことを特徴とする、名刺入れ。
【請求項２】
複数枚の名刺を収容させる上部開放のケース本体と、このケース本体に被せられる蓋体と、この蓋体と前記ケース本体との間に設けられた名刺の取出し口と、前記蓋体を前記ケース本体へ開閉可能に連結するヒンジ手段と、前記ケース本体内に収容させた名刺を前記蓋体側へ押し上げる押し上げ手段と、前記ケース本体内に収容させた名刺を１枚ずつ前記取出し口より外側へ押し出す取り出し手段と、前記蓋体を前記ケース本体に対して閉成状態で保持するフック部材と、で構成したことを特徴とする、名刺入れ。
【請求項３】
複数枚の名刺を収容させる上部開放のケース本体と、このケース本体に被せられる蓋体と、この蓋体と前記ケース本体との間に設けられた名刺の取出し口と、前記蓋体を前記ケース本体に対して閉成状態で固定する固定手段と、前記ケース本体内に収容させた名刺を前記蓋体側へ押し上げる押し上げ手段と、前記ケース本体内に収容させた名刺を１枚ずつ前記取出し口より外側へ押し出す取り出し手段と、を有し、前記固定手段を、前記ケース本体の前部と後部に開閉可能に取り付けられた一対の固定部材で構成し、この各固定部材の自由端側に設けた係止突部を前記蓋体の側に設けた係合部と係合させることにより、前記ケース本体と蓋体を互いに重ね合わせた状態で固定させるように成したことを特徴とする、名刺入れ。
【請求項４】
複数枚の名刺を収容させる上部開放のケース本体と、このケース本体に被せられる蓋体と、この蓋体と前記ケース本体との間に設けられた名刺の取出し口と、前記蓋体を前記ケース本体へ開閉可能に連結するヒンジ手段と、前記ケース本体内に収容させた名刺を前記蓋体側へ押し上げる押し上げ手段と、前記ケース本体内に収容させた名刺を１枚ずつ前記取出し口より外側へ押し出す取り出し手段と、を有し、前記押し上げ手段は、名刺を載置させる押し上げトレイと、この押し上げトレイを上下動可能に支持するシザース機構と、前記ケース本体の底部と前記押上げトレイの下面との間に弾設した弾性手段とで構成したことを特徴とする、名刺入れ。
【請求項５】
前記押し上げトレイは前記ヒンジ手段側に受圧突出部を有し、前記蓋体の前記受圧突出部と対向する部分には押し下げ突出部を設け、前記蓋体を開くときに前記押し下げ突出部で前記受圧突出部を押し下げ前記名刺収容部への名刺の収容操作を容易としたことを特徴とする、請求項４に記載の名刺入れ。
【請求項６】
複数枚の名刺を収容させる上部開放のケース本体と、このケース本体に被せられる蓋体と、この蓋体と前記ケース本体との間に設けられた名刺の取出し口と、前記蓋体を前記ケース本体へ開閉可能に連結するヒンジ手段と、前記ケース本体内に収容させた名刺を前記蓋体側へ押し上げる押し上げ手段と、前記ケース本体内に収容させた名刺を１枚ずつ前記取出し口より外側へ押し出す取り出し手段と、を有し、前記取り出し手段は、前記蓋体に設けた装着孔にスライド可能に取り付けた前記蓋体の上側に位置する押し出しボタン部材及び前記名刺収容部側に位置するスライド部材からなる操作手段と、この操作手段を一方向へスライド付勢させる第１付勢手段とで構成したことを特徴とする、名刺入れ。
【請求項７】
複数枚の名刺を収容させる上部開放のケース本体と、このケース本体に被せられる蓋体と、この蓋体と前記ケース本体との間に設けられた名刺の取出し口と、前記蓋体を前記ケース本体へ開閉可能に連結するヒンジ手段と、前記ケース本体内に収容させた名刺を前記蓋体側へ押し上げる押し上げ手段と、前記ケース本体内に収容させた名刺を１枚ずつ前記取出し口より外側へ押し出す取り出し手段と、を有し、前記取り出し手段は、前記蓋体に設けた装着孔にスライド可能に取り付けた前記蓋体の上側に位置する押し出しボタン部材及びこの押し出しボタン部材に対し上下方向に移動可能に取り付けたところの前記名刺収容部側に位置するスライド部材からなる操作手段と、この操作手段を一方向へスライド付勢させる第１付勢手段と、前記押し出しボタン部材とスライド部材の間に弾設した第２付勢手段とで構成したことを特徴とする、名刺入れ。
【請求項８】
前記取出し口にはローラ部材を設け、このローラ部材はその両側部に設けた支軸を傾斜して設けた傾斜長孔を介して回転可能に取り付けることにより、前記取出し口から外側へ名刺が押し出されるときにはその円滑化を促し、前記取出し口から外側へ押し出された名刺を名刺収容部内へ戻そうとする力を受けるときには、ブレーキ作用を営むように成したことを特徴とする、請求項１乃至７のいずれか１項に記載の名刺入れ。
【発明の詳細な説明】
【技術分野】
【０００１】
本発明は、複数枚の名刺を収納させておき、必要に応じて一枚ずつ半自動的に取り出すことのできる、名刺入れに関する。
【背景技術】
【０００２】
従来、複数枚の名刺を収納させた収納ケースに名刺の取出し口を設け、収納ケース底部に設けた板バネのような弾性手段を用いた押し上げ手段で名刺を上方へ押し上げ、押し上げた名刺を蓋部の側に設けた窓部より指を入れて指と名刺との間の摩擦力によって名刺をスライドさせ一枚ずつ取出し口より外側へ押し出すことのできるものや、同じく押し上げ手段を有し、蓋部の側に摘みを摺動可能に取り付け、この摘みに設けた吸盤でケース部に収容させた最上段の名刺の端部を吸着して開口部より外側へ押し出すことができるようにしたものが、下記特許文献１と２に示したように、公知である。
【先行技術文献】
【特許文献】
【０００３】
【特許文献１】第３１０８２１０号実用新案登録公報
【特許文献２】特開２００１−２６１０７９号公報
【発明の概要】
【発明が解決しようとする課題】
【０００４】
上記した特許文献のうち特許文献１に記載された名刺入れは、指で収納ケース内に収納された名刺を押し出すために、強く名刺を押すと、名刺が下方へ沈むことから、取出し口から取り出しにくくなるという問題があり、この問題点は、収納ケース内にある名刺の数が少なくなると、押し上げ手段の弾性手段の弾力が弱まることから、より増幅されるという問題があった。
【０００５】
また、上記した特許文献２に記載された名刺入れは、ケース部への名刺の装填手段と、ケース部に対して閉じた蓋部の当該ケース部に対する固定手段に難点があり、操作性に問題があった。
【０００６】
本発明は上記課題を解決するためになされたもので、その目的は、ケース本体の名刺収容部へ名刺を装填させる装填手段や、蓋体をケース本体へ固定させるロック手段などに工夫を凝らすことにより、操作性をより向上させた上で、名刺を確実に取出し口より外側へ押し出すことができる名刺入れを提供せんとするにある。
【０００７】
本発明のもう一つの目的は、名刺の収納ケースからの取り出し動作を半自動（セミオート）で行うことができるように成した名刺入れを提供せんとするにある。
【課題を解決するための手段】
【０００８】
上述した目的を達成するために本発明は、複数枚の名刺を収容させる上部開放のケース本体と、このケース本体に被せられる蓋体と、この蓋体と前記ケース本体との間に設けられた名刺の取出し口と、前記蓋体を前記ケース本体へ開閉可能に連結するヒンジ手段と、前記ケース本体内に収容させた名刺を前記蓋体側へ押し上げる押し上げ手段と、前記ケース本体内に収容させた名刺を１枚ずつ前記取出し口より外側へ押し出す取り出し手段と、を有し、前記ヒンジ手段はカム機構を有し、このカム機構により前記蓋体を前記ケース本体に対して閉成状態でロックするように構成したことを特徴とする。
【０００９】
このように構成すると、ヒンジ手段がカム機構を有し、このカム機構でケース本体に対して閉じた蓋体をロックするので、名刺のケース本体に対する収容操作時の操作感が向上するという利点が生じる。
【００１０】
本発明はまた、複数枚の名刺を収容させる上部開放のケース本体と、このケース本体に被せられる蓋体と、この蓋体と前記ケース本体との間に設けられた名刺の取出し口と、前記蓋体を前記ケース本体へ開閉可能に連結するヒンジ手段と、前記ケース本体内に収容させた名刺を前記蓋体側へ押し上げる押し上げ手段と、前記ケース本体内に収容させた名刺を１枚ずつ前記取出し口より外側へ押し出す取り出し手段と、前記蓋体を前記ケース本体に対して閉成状態で保持するフック部材と、とで構成したことを特徴とする。
【００１１】
このように構成すると、ヒンジ手段とフック部材で蓋体をケース本体へ固定させるので、蓋体の固定がより確実になるという利点が生じる。
【００１２】
複数枚の名刺を収容させる上部開放のケース本体と、このケース本体に被せられる蓋体と、この蓋体と前記ケース本体との間に設けられた名刺の取出し口と、前記蓋体を前記ケース本体に対して閉成状態で固定する固定手段と、前記ケース本体内に収容させた名刺を前記蓋体側へ押し上げる押し上げ手段と、前記ケース本体内に収容させた名刺を１枚ずつ前記取出し口より外側へ押し出す取り出し手段と、を有し、前記固定手段を、前記ケース本体の前部と後部に開閉可能に取り付けられた固定部材で構成し、この固定部材の自由端側に設けた係止突部を前記蓋体の側に設けた係合部と係合させることにより、前記ケース本体と蓋体を互いに重ね合わせた状態で固定させるように成したことを特徴とする。
【００１３】
このように構成しても、操作性の良い名刺入れとすることができる。
【００１４】
複数枚の名刺を収容させる上部開放のケース本体と、このケース本体に被せられる蓋体と、この蓋体と前記ケース本体との間に設けられた名刺の取出し口と、前記蓋体を前記ケース本体へ開閉可能に連結するヒンジ手段と、前記ケース本体内に収容させた名刺を前記蓋体側へ押し上げる押し上げ手段と、前記ケース本体内に収容させた名刺を１枚ずつ前記取出し口より外側へ押し出す取り出し手段と、を有し、前記押し上げ手段は、名刺を載置させる押し上げトレイと、この押し上げトレイを上下動可能に支持するシザース機構と、前記ケース本体の底部と前記押上げトレイの下面との間に弾設した弾性手段とで構成したことを特徴とする。
【００１５】
このように構成すると、シザース機構により、押し上げトレイを押すと均等に降下し、また、名刺の載置後は名刺が均等に押し上げられことにより、操作性が向上する利点を有する。
【００１６】
本発明は、前記押し上げトレイの前記ヒンジ手段側に受圧突出部を設け、前記蓋体の前記突出部と対向する部分には押し下げ突出部を設け、前記蓋体を開くときに前記押し下げ突出部で前記受圧突出部を押し下げ前記名刺収容部への名刺の収容操作を容易とすることができる。
【００１７】
本発明はまた、複数枚の名刺を収容させる上部開放のケース本体と、このケース本体に被せられる蓋体と、この蓋体と前記ケース本体との間に設けられた名刺の取出し口と、前記蓋体を前記ケース本体へ開閉可能に連結するヒンジ手段と、前記ケース本体内に収容させた名刺を前記蓋体側へ押し上げる押し上げ手段と、前記ケース本体内に収容させた名刺を１枚ずつ前記取出し口より外側へ押し出す取り出し手段と、を有し、前記取り出し手段は、前記蓋体に設けた装着孔にスライド可能に取り付けた前記蓋体の上側に位置する押し出しボタン部材及び前記名刺収容部側に位置するスライド部材からなる操作手段と、この操作手段を一方向へスライド付勢させる第１付勢手段とで構成したことを特徴とする。
【００１８】
このように構成すると、名刺を取出し口より押し出した操作手段は、手を離すことにより自動的に元位置に戻り、操作性が向上することになる。
【００１９】
本発明はまた、複数枚の名刺を収容させる上部開放のケース本体と、このケース本体に被せられる蓋体と、この蓋体と前記ケース本体との間に設けられた名刺の取出し口と、前記蓋体を前記ケース本体へ開閉可能に連結するヒンジ手段と、前記ケース本体内に収容させた名刺を前記蓋体側へ押し上げる押し上げ手段と、前記ケース本体内に収容させた名刺を１枚ずつ前記取出し口より外側へ押し出す取り出し手段と、を有し、前記取り出し手段は、前記蓋体に設けた装着孔にスライド可能に取り付けた前記蓋体の上側に位置する押し出しボタン部材及びこの押し出しボタン部材に対し上下方向に移動可能に取り付けたところの前記名刺収容部側に位置するスライド部材からなる操作手段と、この操作手段を一方向へスライド付勢させる第１付勢手段と、前記押し出しボタン部材とスライド部材の間に弾設した第２付勢手段とで構成したことを特徴とする。
【００２０】
このように構成すると、名刺を取出し口から押し出した操作手段を自動的に元位置に戻すことができた上で、操作手段のスライド部材が名刺に一定の力で圧接することから、より確実に名刺を取出し口から押し出すことができ、操作性が向上する利点がある。
【００２１】
そして本発明は、上記いずれの発明においても、取出し口にローラ部材を設け、このローラ部材をその両側部に設けた支軸を傾斜して設けた傾斜長孔を介して回転可能に取り付けることにより、前記取出し口から外側へ名刺が押し出されるときにはその円滑化を促し、前記取出し口から外側へ押し出された名刺を名刺収容部内へ戻そうとする力を受けるときには、ブレーキ作用を営むように成すことにより、一度押し出した名刺が名刺収容部に戻ってしまうことを確実に防止できるように構成することができる。
【発明の効果】
【００２２】
以上本発明によれば、名刺のケース本体への収容操作が容易になり、確実に１枚ずつの名刺を取出し口から外側へ押し出すことができた上で、押し出しボタン部材による名刺の押し出し操作の後に、押し出しボタン部材を自動的に元位置に戻すことができるので、煩雑でなくなり、全体として操作性が向上するという効果を奏し得る。
【図面の簡単な説明】
【００２３】
【図１】本発明に係る名刺入れを一方の側から見た斜視図である。
【図２】本発明に係る名刺入れの蓋体を開いて見た斜視図である。
【図３】本発明に係る名刺入れの分解斜視図である。
【図４】図１のＡ−Ａ線断面図である。
【図５】図１のＢ−Ｂ線断面図である。
【図６】図１のＣ−Ｃ線断面図である。
【図７】本発明に係るヒンジ手段と押し上げ手段の連係動作を説明するための断面図である。
【図８】本発明に係る名刺入れのケース本体の斜視図である。
【図９】本発明に係る名刺入れの蓋体を表側から見た斜視図である。
【図１０】本発明に係る名刺入れの蓋体を裏側から見た斜視図である。
【図１１】本発明に係る名刺入れの押し上げ手段の要部を裏側から見た斜視図である。
【図１２】本発明に係る名刺入れのヒンジ手段のカム部材の斜視図である。
【図１３】本発明に係る名刺入れのヒンジ手段のスライダーの斜視図である。
【図１４】本発明に係る名刺入れのボタン部材を裏側から見た斜視図である。
【図１５】本発明に係る名刺入れのレバー部材を示し、（ａ）図は表側から見た斜視図、（ｂ）図は裏側から見た斜視図である。
【図１６】本発明に係る名刺入れの蓋体の開成時におけるヒンジ手段の動作を説明する説明図である。
【図１７】本発明に係る名刺入れの蓋体の閉成時におけるヒンジ手段の動作を説明する説明図である。
【発明を実施するための形態】
【００２４】
以下に本発明に係る名刺入れの実施例を図面に基づいて説明するが、本発明は名刺入れに限定されるものではなく、その他の例えば人気キャラクターのカードやゲーム用カード等のカード入れにもそのまま適用できることは言うまでもない。
【実施例】
【００２５】
図面によれば、本発明に係る名刺入れ１は、内部へ複数枚の名刺を収容させる名刺収容部２ａを有する上部開放のケース本体２と、このケース本体２の開放上部に被せられる蓋体３と、この蓋体３をケース本体２の後部側に開閉可能に連結するヒンジ手段４と、ケース本体２内部へ収容させた名刺を蓋体３の側へ押し上げる押し上げ手段５と、ケース本体２内に収容させた複数枚の名刺を取出し口７より１枚ずつ押し出す取り出し手段６とで構成され、名刺の取出し口７がケース本体２の一側部側に当該ケース本体２の上端と蓋体３の下面との間に設けられている。
【００２６】
ケース本体２は、平面略矩形状のもので、名刺収容部２ａの両側には一対のガイド部材２ｂ、２ｂが取付ビス２ｃ、２ｃ・２ｃ、２ｃで取り付けられ、ガイド部材２ｂ、２ｂの内側に位置する各両側部分には、上下方向にガイド溝２ｄ、２ｄ・２ｄ、２ｄが設けられている。
【００２７】
ケース本体２の前端縁部側には、蓋体３の開成時に指の先端を当てがう指掛部２ｅが設けられると共に、後端縁部には蓋体３の後端部に設けた連結部３ａを収容させる連結凹部２ｆが設けられ、この連結凹部２ｆの両側壁部には、後述するヒンジ手段４のカム部材４ａ、４ａを収容させる変形穴２ｇ、２ｇが設けられている。また、名刺収容部２ａしかしてケース本体２の内底部には、後述する押し上げ手段５の弾性手段５ａを構成する圧縮コイルスプリング５ｂ、５ｂ・・・を固定させるボス部２ｈ、２ｈ・・・が設けられている。
【００２８】
蓋体３は、その後端部側に突設させた連結部３ａの両側端部に後述するヒンジ手段４、４のスライダー４ｂ、４ｂ及び圧縮コイルスプリングから成る弾性手段４ｃ、４ｃを収容させる変形取付穴３ｂ、３ｂが設けられると共に、押し下げ突出部３ｃがさらに連結部３ａの後方へ突出して隆設されている。
【００２９】
この蓋体３の裏面側には略名刺１枚分の大きさと深さを有する凹部３ｄが形成され、ケース本体２の一側上端部との間に名刺の取出し口７が形成されている。もっとも、ここのところは、蓋体３の下面を平坦に面一に構成し、ケース本体２の端縁に名刺１枚分の凹部を形成するようにしても良い。さらに、蓋体３にはその中央部のやや一側部側に位置して、後述する名刺の取り出し手段６を装着させる装着孔３ｅが設けられている。
【００３０】
ヒンジ手段４、４は、左右一対のものであり、上述したように、ケース本体２の連結部２ｊ、２ｊ側に設けた変形穴２ｇ、２ｇ内に収容固定される一側部に第１カム部４ｄ、４ｄを有する略４角形状のカム部材４ａ、４ａと、蓋体３側の連結部３ａの両端部に設けた変形取付穴３ｂ、３ｂ内にそれ自身が非回転かつ摺動可能に収容される外周に設けた係止突起４ｆ、４ｆ付のスライダー４ｂ、４ｂと、これらスライダー４ｂ、４ｂをカム部材４ａ、４ａ側へ押圧する弾性手段４ｃ、４ｃと、カム部材４ａ、４ａとスライダー４ｂ、４ｂと弾性手段４ｃ、４ｃの各軸心部軸方向を貫通してケース本体２側の連結部２ｊ、２ｊと蓋体３側の連結部３ａに取り付けられたヒンジピン４ｇ、４ｇと、で構成されており、スライダー４ｂ、４ｂがカム部材４ａ、４ａと対向する部分には、第２カム部４ｅ、４ｅが設けられている。そして、カム部材４ａ、４ａに設けた第１カム部４ｄ、４ｄと、スライダー４ｂ、４ｂに設けた第２カム部４ｅ、４ｅとで、ロック機能を有する固定手段としてのカム機構４ｈが構成されている。
【００３１】
押し上げ手段５は、上部に名刺を載置させる押し上げトレイ５ｃと、この押し上げトレイ５ｃの前端部と後端部に連結ピン５ｄと５ｅで連結されたところの中央部をそれぞれくり抜くことによって、平面矩形状の枠状を呈した一対の大型の押し上げ部材５ｆ及び小型の押し上げ部材５ｇと、押し上げトレイ５ｃの下面と名刺収容部２ａの底面との間に弾設した複数の圧縮コイルスプリング５ｂ、５ｂ・・・から成る弾性手段５ａとで構成され、大型の押し上げ部材５ｆと小型の押し上げ部材５ｇは、その互いに交叉する中央部で中央連結ピン５ｈで連結することにより、シザース機構（パンタグラフ機構）９を構成している。そして、大型の押し上げ部材５ｆと小型の押し上げ部材５ｇを押し上げトレイ５ｃへ連結する連結ピン５ｄと５ｅの両端部は、ガイド部材２ｂ、２ｂに設けたガイド溝２ｄ、２ｄ・２ｄ、２ｄと係合することにより、押し上げトレイ５ｃの押し上げ範囲を規制している。
【００３２】
即ち、押し上げトレイ５ｃの後端部両側に設けた連結部５ｉ、５ｉには、大型の押し上げ部材５ｆがその端部両側部に設けた連結部５ｊ、５ｊを連結ピン５ｄによって相対的に回動可能となるように連結させ、その自由端側下端部を名刺収容部２ａしかしてケース本体２の内底部に当接させている。また、押し上げトレイ５ｃの前端部側に設けた一対の連結部５ｋ、５ｋには、小型の押し上げ部材５ｇがその端部に設けた連結部５ｍ、５ｍを連結ピン５ｅによって相対的に回動可能となるように連結させている。また、大型の押し上げ部材５ｆはくり抜き部５ｎを有し、このくり抜き部５ｎ内を貫通して小型の押し上げ部材５ｇが交叉しており、その交叉部において、大型の押し上げ部材５ｆの中央部に設けた中央連結孔５ｐ、５ｐと小型の押し上げ部材５ｇに設けた中央連結孔５ｒ、５ｒを貫通して中央連結ピン５ｈが設けられている。このようにしてシザース機構９が構成されている。そして、各くり抜き部５ｎと５ｏの中を弾性手段５ａが貫通して、押し上げトレイ５ｃと名刺収容部２ａしかしてケース本体の内底部との間に弾設されている。よって、大型の押し上げ部材５ｆと小型の押し上げ部材５ｇはシザース（パンタグラフ）動作を行ない、押し上げトレイ５ｃを上下動させる。この押し上げトレイ５ｃの上動範囲は、連結ピン５ｄ、５ｅの両端部が貫入しているガイド溝２ｄ、２ｄ、・２ｄ、２ｄによって規制される。
【００３３】
次に、ケース本体２の名刺収容部２ａ内に収容された名刺の取り出し手段６は、下面に離間対向させて設けた一対の連結固定部６ｂ、６ｂを有する平面矩形状を呈した押し出しボタン部材６ａ、及びこの押し出しボタン部材６ａの連結固定部６ｂ、６ｂに対して上面側に離間対向させて設けた一対の係合片６ｃ、６ｃを連結固定させ、両者の間に形成されたガイド溝６ｄ、６ｄを蓋体３の装着孔３ｅに設けたガイドレール部３ｆ、３ｆを挟んで係合させたスライド部材６ｅと、から成る操作手段６ｋと、押し出しボタン部材６ａの連結固定部６ｂ、６ｂの先端側に設けたボス部６ｆに一端部を当てがい、他端部を装着孔３ｅの先端に設けた収装孔３ｇへ収装させつつ弾設した圧縮コイルスプリングから成る第１付勢手段６ｇと、押し出しボタン部材６ａとスライド部材６ｅの間に弾設した同じく圧縮コイルスプリングから成る第２付勢手段６ｈとで構成されている。押し出しボタン部材６ａはその上面に指当て凹部６ｉが形成され、スライド部材６ｅの下面にはローレット加工状の滑り止め６ｊが形成されている。そして、名刺を取出し口７より押し出した操作手段６ｋは第１付勢手段６ｇによって、自動的に元位置に戻ることから、セミオートとなっている。即ち、第１付勢手段６ｇは取り出し手段６のセミオート手段を構成している。
【００３４】
また、押し出しボタン部材６ａの連結固定部６ｂ、６ｂとスライド部材６ｅの係合片６ｃ、６ｃとの間の連結は、上下方向に若干のガタがあり、第２付勢手段６ｈによって、スライド部材６ｅはその滑り止め６ｊを名刺の上面に圧接する構成になっている。
【００３５】
次に、名刺の取出し口７より押し出された名刺１０が、操作手段６ｋの帰戻時に名刺収容部２ａ内へ戻ってしまうことを確実に防止するために、名刺の戻り防止手段８がケース本体２の名刺の取出し口７に設けられている。即ち、取出し口７の下端部を構成するケース本体２の縁部２ｋには、凹部８ａが設けられ、この凹部８ａに収容されてローラ部材８ｂが支軸８ｃを介して回転可能に支持されており、支軸８ｃは傾斜長孔８ｄ、８ｄに軸架され、名刺が取出し口７より外へ押し出される際には、ガイドローラの役割りを果すが、名刺が取出し口７より、名刺収容部２ａ内へ戻ろうとすると、名刺を取出し口７の上部側との間に挟みつけて戻りを防止する役目を果す。
【００３６】
次に、本発明に係る名刺入れ１の作用効果について説明する。まず、図２に示したように、蓋体３をケース本体２に対して９０°開くと、押し上げ手段５の押し上げトレイ５ｃは、蓋体３の押し下げ突出部３ｃが当該押し上げトレイ５ｃの受圧突出部５ｓに当接してこれを押し下げているので、押し上げトレイ５ｃはシザース機構９により、弾性手段５ａの弾力に抗して名刺収容部２ａしかしてケース本体２の内底部の側へ降下している。この状態において、大型の押し上げ部材５ｆと小型の押し上げ部材５ｇの各下端部はケース本体２の底部の前後方向の各端部へ移動している。尚、ケース本体２に対して９０°開かれた蓋体３は、押し下げ突出部３ｃがケース本体２のストッパー部２ｉに当接することにより、９０°開かれた状態で停止している。
【００３７】
次いで、名刺収容部２ａの内底部側に降下している押し上げトレイ５ｃ上へ複数枚の名刺１０を重ねて置き、名刺１０を名刺収容部２ａ内へ収容し終わったら、蓋体３を閉じると、当該蓋体３はケース本体２に対して閉じられ、このときに押し下げ突出部３ｃは受圧突出部５ｓに対する押し下げ圧力を解除し、その閉成位置でヒンジ手段４のスライダー４ｂ、４ｂの第２カム部４ｅ、４ｅが、図１７に示したように、カム部材４ａ、４ａの第１カム部４ｄ、４ｄ内へ完全に落ち込む寸前で止まるので、弾性手段４ｃ、４ｃの弾力により蓋体３は閉成方向へ回転する力を受け、名刺収容部２ａ内に収容した名刺１０は、蓋体３より手を離しても、弾性手段５ａの弾力によって蓋体３を開けてしまうことなく、蓋体３は閉成状態を保つことになる。
【００３８】
尚、ここのところは、蓋体３の開放端側に、図示してないが、ヒンジ手段と合わせてケース本体に設けた係合部と係合するフック部材を設け、蓋体３の閉成時にフック部材が係合部と係合してロック固定する固定手段としても良い。さらに、固定手段は、ヒンジ手段４、４によらず、ケース本体の前後部に開閉可能に取り付けた固定部材を設け、この固定部材に設けた係止突起で蓋体に設けた係合部と係合させるように構成しても良い。
【００３９】
また、取り出し手段６の押し出しボタン部材６ａは、第１付勢手段６ｇによって押され待機位置にある。取り出し手段６のスライド部材６ｅは第２付勢手段６ｈの弾力により、その滑り止め６ｊを最上段の名刺１０の上面に圧接させている。この状態で、名刺入れ１を保管乃至持ち歩き、名刺が必要となった時に、名刺入れ１のケース本体２を一方の手指で持って、他方の手指で取り出し手段６の操作手段６ｋの押し出しボタン部材６ａを第１付勢手段６ｇの弾力に抗して取出し口７側へ押してやると、名刺収容部２ａ内に収容されている各名刺１０の最上段のものが、その上面に圧接しているスライド部材６ｅの滑り止め６ｊとの間の摩擦力により、取出し口７の方向へ押し出されるので、これを引き出して相手方に名刺を渡すことができるものである。
【００４０】
名刺１０を取出し口７より操作手段６ｋを介して押し出した後に、取り出し手段６の操作手段６ｋの押し出しボタン部材６ａより指を離すと、押し出しボタン部材６ａと共にスライド部材６ｅが第１付勢手段６ｇの弾力により自動的に元位置に戻り停止する。この際に、取出し口７より押し出された名刺１０は、圧接しているスライド部材６ｅの滑り止め６ｊによって、元位置に戻ろうとしても、戻り防止手段８のローラ部材８ｂが上動して当該名刺１０を取出し口７との間で挟むことにより、名刺の戻りは防止されるものである。
【００４１】
このようにして、名刺収容部２ａ内に収容されている各名刺１０は、取り出し手段６を操作することにより、次々と取出し口７より外側へ取り出されることになる。名刺１０が名刺収容部２ａ内になくなると、再び上述した名刺の装填操作を行って名刺を補充することになる。
【産業上の利用可能性】
【００４２】
本発明は以上のように構成したので、名刺の形をくずさず、操作性に優れ、名刺の取り出し易いセミオート機能を持つ名刺入れとして好適に用いられるものである。
【符号の説明】
【００４３】
１  名刺入れ
２  ケース本体
２ａ  名刺収容部
３  蓋体
３ｃ  押し下げ突出部
３ｅ  装着孔
４  ヒンジ手段
４ｃ、５ａ  弾性手段
４ｈ  カム機構（固定手段）
５  押し上げ手段
５ｃ  押し上げトレイ
５ｓ  受圧突出部
６  取り出し手段
６ａ  押し出しボタン部材
６ｅ  スライド部材
６ｇ  第１付勢手段
６ｈ  第２付勢手段
６ｋ  操作手段
７  取出し口
８ｂ  ローラ部材
８ｃ  支軸
８ｄ  傾斜長孔
９  シザース機構
１０  名刺
【図１】
2012035517.tif 000003
【図２】
2012035517.tif 000004
【図３】
2012035517.tif 000005
【図４】
2012035517.tif 000006
【図５】
2012035517.tif 000007
【図６】
2012035517.tif 000008
【図７】
2012035517.tif 000009
【図８】
2012035517.tif 000010
【図９】
2012035517.tif 000011
【図１０】
2012035517.tif 000012
【図１１】
2012035517.tif 000013
【図１２】
2012035517.tif 000014
【図１３】
2012035517.tif 000015
【図１４】
2012035517.tif 000016
【図１５】
2012035517.tif 000017
【図１６】
2012035517.tif 000018
【図１７】
2012035517.tif 000019